(57)【要約】【課題】雪よけや落ち葉よけなどとして配設されるカバー部材や水切りを既設の軒樋に対し後付け可能とし、しかも、その取付けをワンタッチで簡単に行えるようにした鼻隠し部材を提供すること。【解決手段】鼻隠し部材１において、軒樋の上端開口に沿って配設されるカバー部材または水切りの差込みが可能とされた差込み孔部９が、本体２の第２の面２ｂ側において固定溝６から離れた位置に配設され、差込み孔部には、その内部に突出する突起８が配設されている。【選択図】図１
2011089373.tif 000002
【特許請求の範囲】
【請求項１】
建物の屋根の軒先に配設された鼻隠しに当接する第１の面と、第１の面に対向して配置された第２の面とを有する板状の本体を備え、軒樋を固定する吊具に備えた固定部を係止可能とした固定溝が、本体の第２の面側に配設された鼻隠し部材であって、
軒樋の上端開口に沿って配設されるカバー部材または水切りの差込みが可能とされた差込み孔部が、本体の第２の面側において固定溝から離れた位置に配設され、差込み孔部には、その内部に突出する突起が配設されていることを特徴とする鼻隠し部材。
【請求項２】
差込み孔部は、本体の第２の面から吊具側に突設されたフック部材によって形成され、フック部材では、本体の第２の面側に位置する一端に対向する他端から一端側に向かって前記突起が下方に延設され、このフック部材の複数が、本体の第１の面に等間隔で配設されていることを特徴とする請求項１に記載の鼻隠し部材。
【発明の詳細な説明】
【技術分野】
【０００１】
本発明は、建物の屋根の軒先に軒樋を取り付けるための鼻隠し部材に関する。
【背景技術】
【０００２】
本出願人は、軒樋の雪よけや落ち葉よけなどのために配設されるカバー部材と、屋根を伝って流れ落ちる雨水を確実に軒樋で受けるための水切りとを配設する際の施工の手間を軽減するために、下記特許文献１に記載したような、落ち葉よけと水切りを兼ねた軒樋カバーを提案している。
【０００３】
上記軒樋カバーは、軒先における屋根の先端部に後側の一縁が固定され、他縁が、軒樋の前壁部の上端近くまで延出して軒先に取り付けられる。また、上記軒樋カバーは、軒樋の上端開口を軒樋の長さ方向に沿って覆うように配設される。
【先行技術文献】
【特許文献】
【０００４】
【特許文献１】特開２０００−１３６６０６号公報
【発明の概要】
【発明が解決しようとする課題】
【０００５】
上記のとおり、特許文献１に記載した軒樋カバーは、施工の手間を軽減する利便性に優れたものであるが、軒樋カバーは、その後側の一縁を野地板に固定して取り付けられるものであるので、既設の軒先に対処することができないことがその後の検討により見出された。すなわち、既設の軒樋に対して雪よけや落ち葉よけ、また、水切りなどの機能を付加したくとも、上記軒樋カバーでは、野地板に固定されるため、それが叶わないのである。
【０００６】
本発明は、以上のとおりの事情に鑑みてなされたものであり、雪よけや落ち葉よけなどとして配設されるカバー部材や水切りを既設の軒樋に対し後付け可能とし、しかも、その取付けをワンタッチで簡単に行えるようにした鼻隠し部材を提供することを課題としている。
【課題を解決するための手段】
【０００７】
本発明は、上記の課題を解決するために、以下の特徴を有している。
【０００８】
第１の発明は、建物の屋根の軒先に配設された鼻隠しに当接する第１の面と、第１の面に対向して配置された第２の面とを有する板状の本体を備え、軒樋を固定する吊具に備えた固定部を係止可能とした固定溝が、本体の第２の面側に配設された鼻隠し部材であって、軒樋の上端開口に沿って配設されるカバー部材または水切りの差込みが可能とされた差込み孔部が、本体の第２の面側において固定溝から離れた位置に配設され、差込み孔部には、その内部に突出する突起が配設されていることを特徴としている。
【０００９】
第２の発明は、上記第１の発明の特徴において、差込み孔部は、本体の第２の面から吊具側に突設されたフック部材によって形成され、フック部材では、本体の第２の面側に位置する一端に対向する他端から一端側に向かって前記突起が下方に延設され、このフック部材の複数が、本体の第１の面に等間隔で配設されていることを特徴としている。
【発明の効果】
【００１０】
上記第１の発明によれば、本体の第２の面側において固定溝から離れた位置に差込み孔部が配設され、差込み孔部には、その内部に突出する突起が配設されているので、屋根からの雨水を軒樋内に確実に受水するための水切りは、差込み孔部に差し込むことによって引っ掛かり、係止される。同様に、落ち葉よけネットなどのカバー部材も、差込み孔部に差し込むことによって引っ掛かり、係止される。このため、カバー部材や水切りを、軒樋が既設のものであってもその上端開口に沿って取り付けることができ、後付けが可能となる。しかも、カバー部材や水切りの取付けは、差込み孔部に差し込んで引っ掛けるだけのワンタッチで簡単に行うことができる。
【００１１】
上記第２の発明によれば、上記第１の発明の効果に加え、差込み孔部がフック部材によって簡便に実現されるので、本体は、必ずしも厚板状とする必要がなく、薄板状とすることができ、重量が軽減される。鼻隠し部材の取付作業が容易となる。また、差込み孔部は、本体に部分的に配設されるので、カバー部材の取付作業も容易となる。そして、鼻隠し部材を安価に提供することが可能となる。
【図面の簡単な説明】
【００１２】
【図１】本発明の鼻隠し部材の一実施形態を示した斜視図である。
【図２】図１に示した鼻隠し部材へのカバー部材または水切りの装着について示した断面図である。
【発明を実施するための形態】
【００１３】
図１は、本発明の鼻隠し部材の一実施形態を示した斜視図であり、図２は、図１に示した鼻隠し部材へのカバー部材または水切りの装着について示した断面図である。
【００１４】
鼻隠し部材１は、矩形板状の本体２を備え、本体２は、薄板状に形成されている。本体２を形成する材料としては、鋼板などの金属または十分な耐久性と強度などを有する樹脂などが例示される。本体２は、第１の面２ａとしての裏面３と、裏面３に対向して配置された第２の面２ｂとしての表面４を有している。裏面３は、平面状に形成され、建物の屋根Ｒの軒先Ｅにおいて垂木２１の木口に配設された鼻隠し２２の前面に当接可能とされている。
【００１５】
本体２の表面４も平面状に形成されている。一方、表面４には、断面が略Ｌ字型の形状を有するレール部材５が、本体２の一端である上端寄りの部分と、中央よりもやや他端側の下端寄りの部分とに配設され、本体２の長手方向に延びている。レール部材５は、本体２の表面４に直交して手前側に延びる接続片５ａと、接続片５ａにおいて表面４側と反対側に位置する先端から直角に折り曲がって形成された係止片５ｂとを備えている。２つのレール部材５は、上下に離間し、それぞれの係止片５ｂが本体２の内側に向かって延びるように対向して配置されている。
【００１６】
これらのレール部材５によって、鼻隠し部材１には、本体２の第２の面２ｂである表面４側に固定溝６が形成されている。固定溝６は、本体２の表面４に対向する手前側と、本体２の左右両側方に開放されている。軒樋３１の固定に用いられる吊具４１は、その一端に備えた固定部４２を手前側の開口または側方の開口から固定溝６の内部に挿入し、固定部４２の上下両端縁部を、上下のレール部材５の係止片５ｂで係止するとともに、下側のレール部材５の接続片５ａによって下側から支持して鼻隠し部材１に取り付けられる。
【００１７】
上記のとおりのレール部材５も、本体２と同様に、金属製または樹脂製とすることができる。
【００１８】
なお、鼻隠し部材１は、建物の屋根Ｒの軒先Ｅに配設された鼻隠し２２の前面に裏面３を当接させ、固定溝６においてその前方からビスなどの固定具によって鼻隠し２２に取り付けられ、固定される。
【００１９】
また、鼻隠し部材１では、本体２の表面４側において上側のレール部材５からやや上方に離れた位置にフック部材７が配設されている。フック部材７は、レール部材５と比較して短尺な部材に形成され、その複数が、隣り合う２つにおいて等間隔に配置され、本体２の表面４から手前側に、すなわち、吊具４１側に突設されている。フック部材７は、本体２の表面４に直交して手前側に延びる接続片７ａと、接続片７ａにおいて表面４側と反対側に位置する先端から後方に向かって折り曲がり、斜め下方に延びる突起８とを備えている。このようなフック部材７も、レール部材５と同様に、金属製または樹脂製とすることができる。
【００２０】
鼻隠し部材１では、フック部材７によって、その接続片７ａと、上側のレール部材５の接続片５ａとの間に差込み孔部９を形成している。差込み孔部９は、本体２の表面４に対向する手前側に開口され、突起８は、差込み孔部９の内部に突出している。
【００２１】
水切り５１および落ち葉よけネット６１は、差込み孔部９に取付け可能とされている。水切り５１は、断面が略くの字型に折り曲げられた、雨水を案内する部材であり、その一端側の固定端部と他端側の先端部には、それぞれ、強度保持のために、端縁を上側または下側に折り曲げて２重とした折り曲げ部５２を有している。水切り５１を装着する際には、その取付状態において下方に折れ曲がって配置されるように、固定端部を折り曲げ部５２から差込み孔部９の内部に差し込む。差込み孔部９の内部には突起８が突出しているため、水切り５１の固定端部は、差込み孔部９においてフック部材７に引っ掛かり、水切り５１は、鼻隠し部材１に係止される。このとき、水切り５１の先端部は、軒樋３１の上端開口３２の上方に配置される。このようにして水切り５１は、ワンタッチで取り付けられ、軒樋３１の上端開口３２に沿って配設される。屋根Ｒを伝って流れ落ち、水切り５１で受けた雨水は、軒樋３１の内部に確実に導かれる。
【００２２】
同様に、繊維または線材を縦横に編んで形成された落ち葉よけネット６１も、その一端側の固定端部を差込み孔部９の内部に差し込むことによって、差込み孔部９においてフック部材７に引っ掛かり、鼻隠し部材１に係止される。差込み孔部９に差し込む一端側と反対側に位置する他端部は、軒樋３１の前壁部３１ａの上端に備えた、軒樋３１の内側に突出する前耳部３３の下端縁部などに係止させることができる。このようにして落ち葉よけネット６１は、ワンタッチで取り付けられ、軒樋３１の上端開口３２に沿って配設され、上端開口３２を覆うことができ、軒樋３１の内部への落ち葉の進入を抑制することができる。落ち葉よけネット６１は、その弾性を利用し、若干上方に湾曲するように装着すると、脱落などのおそれがなく、取付状態を安定化させることができる。
【００２３】
雪よけなどの他のカバー部材も同じように鼻隠し部材１に装着することができる。
【００２４】
鼻隠し部材１では、差込み孔部９が、本体２の第２の面２ｂである表面４側において固定溝６の上側に配設されているので、落ち葉よけネット６１などのカバー部材および水切り５１を、軒樋３１が吊具４１に取り付けられている状態において装着することができる。もちろん、鼻隠し部材１では、落ち葉よけネット６１などのカバー部材および水切り５１の先付けは、当然可能である。
【００２５】
吊具４１は、上記のとおり、その一端に板状の固定部４２を備えている。また、吊具４１では、縦置きに配置される固定部４２からアーム４３が手前側に立設され、アーム４３は、固定部４２と反対側の先端部に、斜め上方に、固定部４２から離間するように突出する前耳係止部４４を備えている。また、アーム４３は、固定部４２側の端部において固定部４２に対向する下端部に、後耳係止部４５を備えている。さらに、アーム４３では、前耳係止部４４寄りの部分において、下端から下方に底壁当接部４６が延設されている。底壁当接部４６は、軒樋３１の断面形状に対応して、下端部において断面が略Ｌ字状に折り曲げられている。
【００２６】
軒樋３１は、上端に前耳部３３が配設され、前耳部３３との間の上端部に係合溝３４を形成している前壁部３１ａと、前壁部３１ａに対向して配置され、上方にまっすぐ延びている後壁部３１ｂと、前壁部３１ａと後壁部３１ｂとを下縁において接続する底壁部３１ｃとを備え、上端開口３２において上方に開放している。後壁部３１ｂの上端には後耳部３５が配設され、後耳部３５の下端部に係合溝３６が形成されている。
【００２７】
このような軒樋３１を軒先Ｅに取り付ける際には、上記のとおり、鼻隠し部材１を介して軒先Ｅに取り付けられた吊具４１の下方からあてがい、後耳部３５の係合溝３６に吊具４１の後耳係止部４５を差し込み、軒樋３１を前方に回動させるようにして底壁当接部４６を底壁部３１ｃの内面に当接させる。また、係合溝３４に吊具４１の前耳係止部４４を挿入する。こうして、前耳係止部４４によって前耳部３３が係止されるとともに、後耳係止部４５によって後耳部３５が係止され、軒樋３１は、吊具４１に固定され、建物の屋根Ｒの軒先Ｅに取り付けられる。
【００２８】
鼻隠し部材１では、上記のとおり、本体２の第２の面２ｂである表面４側において固定溝６から離れた位置に差込み孔部９が配設され、差込み孔部９には、その内部に突出する突起８が配設されているので、屋根Ｒからの雨水を軒樋３１内に確実に受水するための水切り５１は、差込み孔部９に差し込むことによって引っ掛かり、係止される。同様に、落ち葉よけネット６１などのカバー部材も、差込み孔部９に差し込むことによって引っ掛かり、係止される。このため、落ち葉よけネット６１などのカバー部材や水切り５１を、軒樋３１が既設のものであってもその上端開口３２に沿って取り付けることができ、後付けが可能となる。しかも、落ち葉よけネット６１などのカバー部材や水切り５１の取付けは、差込み孔部９に差し込んで引っ掛けるだけのワンタッチで簡単に行うことができる。
【００２９】
また、鼻隠し部材１では、差込み孔部９がフック部材７によって簡便に実現されるので、本体２は、必ずしも厚板状とする必要がなく、薄板状とすることができ、重量が軽減される。鼻隠し部材１の取付作業が容易となる。また、差込み孔部９は、本体２に部分的に配設されるので、落ち葉よけネット６１などのカバー部材の取付作業も容易となる。そして、鼻隠し部材１を安価に提供することが可能となる。
【００３０】
なお、本発明は、上記の実施形態よって限定されるものではない。固定溝および差込み孔部の形成などの細部については、様々な態様が可能である。たとえば、本体をやや厚みのある板状とし、固定溝および差込み孔部を第２の面側に凹設することが考慮される。この場合、差込み孔部は、本体の長手方向の全長にわたって配設することも可能である。
【符号の説明】
【００３１】
１  鼻隠し部材
２  本体
２ａ  第１の面
２ｂ  第２の面
７  フック部材
８  突起
９  差込み孔部
２２  鼻隠し
３１  軒樋
３２  上端開口
４１  吊具
４２  固定部
５１  水切り
６１  カバー部材としての落ち葉よけネット
Ｒ  屋根
Ｅ  軒先
【図１】
2011089373.tif 000003
【図２】
2011089373.tif 000004